(57)【要約】【課題】枠体の角部が湾曲壁部からなる中空方式の内照型掲示装置において、間接光によって照らす表示部の照度の均斉度を従来よりも高める。【解決手段】枠体３は、隣り合う第１の角部４と第２の角部５との間に位置する第１の直線状壁部８と、隣り合う第３の角部と第４の角部との間に位置する第２の直線状壁部９を有する。第１乃至第４の角部４乃至７はそれぞれ湾曲壁部から構成される。複数の光源が直線状に並んで構成されて、第２の直線状壁部９に向かって光を放射するように第１の直線状壁部８の内壁面に第１の光源列１２を取り付ける。同様に、第１の直線状壁部８に向かって光を放射するように第２の直線状壁部９の内壁面に第２の光源列１３を取り付ける。第１の角部４及び第２の角部５を構成する湾曲壁部の内壁面が、第２の光源列１３側から到達する光を拡散反射する拡散反射面１７からなる。【選択図】図２
2016057401.tif 000002
【特許請求の範囲】
【請求項１】
第１の角部乃至第４の角部と、隣り合う前記第１の角部と前記第２の角部との間に位置する第１の直線状壁部と、隣り合う前記第３の角部と前記第４の角部との間に位置する第２の直線状壁部と、隣り合う前記第１の角部と前記第４の角部との間に位置する第３の直線状壁部と、隣り合う前記第２の角部と前記第３の角部との間に位置する第４の直線状壁部とを備え、少なくとも前記第１の角部が湾曲壁部からなる枠体と、
複数の光源が直線状に並んで構成されて、前記第２の直線状壁部に向かって光を放射するように前記第１の直線状壁部の内壁面に取り付けられた第１の光源列と、
複数の光源が直線状に並んで構成されて、前記第１の直線状壁部に向かって光を放射するように前記第２の直線状壁部の内壁面に取り付けられた第２の光源列と、
前記枠体によって囲まれる２つの開口部のうち少なくとも一方に対して設けられた光透過性を有する表示部とを備えてなる内照型掲示装置であって、
前記第３の直線状壁部と前記第４の直線状壁部の内壁面が前記第１及び第２の光源列から到達する光を拡散反射する拡散反射面からなり、
前記第１の光源列と前記２つの開口部との間に位置し、前記第１の光源列を構成する前記複数の光源と一部が接触するように前記第１の光源列に沿って延びて、光を吸収する第１の光吸収ゾーンが設けられ、
前記第２の光源列と前記２つの開口部との間に位置し、前記第２の光源列を構成する前記複数の光源と一部が接触するように前記第２の光源列に沿って延びて、光を吸収する第２の光吸収ゾーンが設けられ、
前記第１の光吸収ゾーン及び前記第２の光吸収ゾーンの前記光源と接触する部分が、前記光源の表面と同一位置または僅かに高い位置にあり、
少なくとも前記第１の角部を構成する前記湾曲壁部の内壁面が、前記第２の光源列側から到達する光を拡散反射する拡散反射面からなることを特徴とする中空方式の内照型掲示装置。
【請求項２】
前記第１乃至第４の角部の内の複数の角部が、それぞれ湾曲壁部からなり、
前記複数の角部を構成する前記湾曲壁部の内壁面が、前記第１及び第２の光源列側から到達する光を拡散反射する拡散反射面である請求項１に記載の中空方式の内照型掲示装置。
【請求項３】
前記第１乃至第４の角部の内の二つの角部が、それぞれ湾曲壁部からなり、
前記二つの角部を構成する前記湾曲壁部の内壁面が、前記第１及び／または第２の光源列側から到達する光を拡散反射する拡散反射面である請求項２に記載の中空方式の内照型掲示装置。
【請求項４】
前記第１乃至第４の角部の残り二つの角部が、それぞれ湾曲壁部からなり、
前記残り二つの角部を構成する前記湾曲壁部の内壁面が、前記第１及び第２の光源列側から到達する光を拡散反射する拡散反射面である請求項３に記載の中空方式の内照型掲示装置。
【請求項５】
前記第１の光源列及び前記第２の光源列は、前記複数の光源を有するアレイ状またはクラスター状のＬＥＤモジュールとして構成されており、該ＬＥＤモジュールの両端部に隣接してそれぞれ前記光源が取り付けられた構造を有しており、
前記第１の直線状壁部の内壁面及び前記第２の直線状壁部の内壁面は、前記湾曲壁部の前記内壁面に接続する位置から、少なくとも前記ＬＥＤモジュールの両端部にそれぞれ取り付けられた１つの前記光源の取付位置の手前まで拡散反射面によって構成されていることを特徴とする請求項１乃至４のいずれか１項に記載の中空方式の内照型掲示装置。
【請求項６】
前記第１の光源列及び前記第２の光源列は、前記複数の光源を有するアレイ状またはクラスター状のＬＥＤモジュールとして構成されており、該ＬＥＤモジュールの両端部に隣接してそれぞれ前記光源が取り付けられた構造を有しており、
前記第１の直線状壁部の内壁面及び前記第２の直線状壁部の内壁面は、前記湾曲壁部の前記内壁面に接続する位置から、少なくとも前記ＬＥＤモジュールの両端部にそれぞれ取り付けられた１つの前記光源の取付位置を越える位置まで拡散反射面によって構成されていることを特徴とする請求項１乃至４のいずれか１項に記載の中空方式の内照型掲示装置。
【請求項７】
前記拡散反射面は、前記内壁面に光の反射率が８０％以上の拡散反射シートまたは拡散反射塗料を布設することによって構成されている請求項１乃至６のいずれか１項に記載の中空方式の内照型掲示装置。
【請求項８】
前記光源は配光角度が１３０度以下であり、光束が５００ｌｍ以上であることを特徴とする請求項１乃至７のいずれか１項に記載の中空方式の内照型掲示装置。
【請求項９】
表示部の照度の均斉度が７０％以上であることを特徴とする請求項１乃至８のいずれか１項に記載の中空方式の内照型掲示装置。
【発明の詳細な説明】
【技術分野】
【０００１】
本発明は、枠体の四つ角部のうち少なくとも１つの角部が湾曲壁部からなり、間接光によって表示部を照らす中空方式の内照型掲示装置に関するものである。
【背景技術】
【０００２】
特開２０１３−１４８７３９号公報（特許文献１）には、枠体の直線状壁部に複数の発光ダイオードが直線状に並べられて構成された光源列を配置し、この直線状壁部と対向する対向壁部に向かって光源列から光を放出する中空方式の内照型掲示装置が開示されている。この内照型掲示装置では、対向壁部から反射してきた間接光を拡散反射して表示部を照らす拡散反射面を設けることにより、表示部の照度の均斉度を高めている。特許文献１に示された枠体は、枠体の四隅が直角になっており、光源列を枠体の隅に近付けて配置すれば、表示部の四隅における照度の均斉度が低下することはない。
【０００３】
特開２００８−１０７７４５号公報（特許文献２）には、四隅が丸くなった枠体すなわち角部に湾曲壁部を備えた枠体の内部に、表示部と対向するように複数の発光ダイオードを備えた基板を配置し、発光ダイオードから表示部に向かって直接光を放出する直下方式の内照型の看板において、表示部の四隅の照度を上げるために、表示部の中央部分に対向する位置に照明パネルを配置し、照明パネルの外辺を折り曲げ、この折り曲げ部分にも照明チップを設け、更に隅部分に反射板を設けて丸くなった隅部の照度を上げる発明が開示されている。
【０００４】
特開２００６−３１３２７１号公報（特許文献３）には、枠体の角部の照度を高めるために、表示部の角部に向かって発光ダイオードを配置し、表示部の角部に直接的に光を照射することにより、角部の照度を高める発明が開示されている。
【先行技術文献】
【特許文献】
【０００５】
【特許文献１】特開２０１３−１４８７３９号公報
【特許文献２】特開２００８−１０７７４５号公報
【特許文献３】特開２００６−３１３２７１号公報
【発明の概要】
【発明が解決しようとする課題】
【０００６】
特許文献２に示されるような角部に丸みのある枠体すなわち角部に湾曲壁部を備えた枠体を用いて、特許文献３に示されるように角部を直接照射することなく、特許文献１に示されるような間接光でだけ表示部を照らす場合には、表示部の照度の均斉度を高めることに限界がある。
【０００７】
本発明の目的は、枠体の四つの角部のうち少なくとも１つの角部が湾曲壁部からなる中空方式の内照型掲示装置において、間接光によって照らす表示部の照度の均斉度を従来よりも高めることができる中空方式の内照型掲示装置を提供することにある。
【０００８】
なお、ＬＥＤ光源に関わるＬＥＤ（発光ダイオード）やＬＥＤモジュール等の定義は、ＪＩＳ Ｃ  ８１５４「一般照明用ＬＥＤモジュール−安全仕様」及び同８１５５「一般照明用ＬＥＤモジュール−性能要求事項」などに基づき、以下の通りとする。
【０００９】
ＬＥＤチップ：電流によって発光する半導体デバイスのこと。
【００１０】
ＬＥＤパッケージ：単数または複数のＬＥＤチップ、ボンディングワイヤー、反射板などを樹脂で封入し、電極が引き出されたもの。単にＬＥＤと称される場合もある。
【００１１】
ＬＥＤモジュール：照明用白色ＬＥＤパッケージを基板などに実装するかまたは複数のＬＥＤを平面的若しくは立体的に配列して、機械的、電気的制御回路若しくはその一部及び光学的に多数の要素で構成して、一つのユニットとして取り扱えるようにしたもの、またはその集合体のことで、ＬＥＤパッケージをアレイ状またはクラスター状に配列したものも含む。
【課題を解決するための手段】
【００１２】
本発明が対象とする中空方式の内照型掲示装置は、第１の角部乃至第４の角部と、隣り合う第１の角部と第２の角部との間に位置する第１の直線状壁部と、隣り合う第３の角部と第４の角部との間に位置する第２の直線状壁部と、隣り合う前記第１の角部と第４の角部との間に位置する第３の直線状壁部と、隣り合う第２の角部と第３の角部との間に位置する第４の直線状壁部とを備え、少なくとも第１及び第２の角部がそれぞれ湾曲壁部からなる枠体を備えている。そして本発明の内照型掲示装置は、複数の光源が直線状に並んで構成されて、第２の直線状壁部に向かって光を放射するように第１の直線状壁部の内壁面に取り付けられた第１の光源列と、複数の光源が直線状に並んで構成されて、第１の直線状壁部に向かって光を放射するように第２の直線状壁部の内壁面に取り付けられた第２の光源列とを備えている。そして枠体によって囲まれる２つの開口部のうち少なくとも一方に対して設けられた光透過性を有する表示部を備えている。本発明においては、少なくとも第１の角部及び第２の角部を構成する湾曲壁部の内壁面が、第２の光源列側から到達する光を拡散反射する拡散反射面からなる。
【００１３】
少なくとも第１の角部を構成する湾曲壁部には、複数の光源が直線状に並んで構成された光源列を配置することができない。そのため第１の直線状壁部の内壁面に取り付けられた光源列から放射される光で、湾曲壁部の内壁面を直接照らすことは殆どできない。その結果、少なくとも第１の角部の近傍の表示部の照度は、表示部の他の部分の照度よりも低くなって、表示部の照度の均斉度を低下させる。
【００１４】
そこで本発明では、第３の直線状壁部と第４の直線状壁部の内壁面を第１及び第２の光源列から到達する光を拡散反射する拡散反射面とする。また少なくとも第１の角部を構成する湾曲壁部の内壁面を第２の光源列側から到達する光を拡散反射する拡散反射面にする。また第１の光源列と枠体の２つの開口部との間に位置し、第１の光源列を構成する複数の光源と一部が接触するように第１の光源列に沿って延びて、光を吸収する第１の光吸収ゾーンを設ける。また第２の光源列と枠体の２つの開口部との間に位置し、第２の光源列を構成する複数の光源と一部が接触するように第２の光源列に沿って延びて、光を吸収する第２の光吸収ゾーンを設ける。そして第１の光吸収ゾーン及び第２の光吸収ゾーンの光源と接触する部分を、光源の表面と同一位置または僅かに高い位置に設ける。また第１及び第２の光吸収ゾーンは、光源の近傍にあって光源周辺部の輝度ムラ及び照度を調整する機能を果たしている。その結果、第１及び第２の光吸収ゾーンを設けると、光源のレンズ横面から出る光を除去することになり、湾曲壁部からなる角部の近くにある表示部の部分領域の照度のバラツキが小さくなる。すなわちこの表示部の部分領域内において光源に近い部分の照度が光源から離れた部分の照度よりも高くなることを光吸収ゾーンによって防止することができる。また光吸収ゾーンは、表示部の表示面の他の部分、特に光源列近くに発生する輝線、暗線及び光源の光源影の発生を防止して、表示面全体の均斉度を向上させることができる。なおこの第１及び第２の光吸収ゾーンは、例えば黒色シートでも、黒色の塗料層でもよく、光を積極的に吸収するものであれば、いかなる材料で形成されていてもよい。このような構成にすると各拡散反射面によって拡散反射された間接光は、少なくとも第１の角部に近い位置にある表示部の部分を照らすことになる。
【００１５】
特に、第１の光吸収ゾーン及び第２の光吸収ゾーンの光源と接触する部分が、光源の表面と同一位置または僅かに高い位置にあると、間接光だけでなく光源から出る光を直接吸収することができるので、輝度ムラ及び照度の調整幅を拡げることができる。第１の光吸収ゾーン及び第２の光吸収ゾーンを光源と全く接触させない場合には、表示部を通して光源部分の存在位置が判るようになり、表示部の照度の均斉度が低下することになる。第１の光吸収ゾーン及び第２の光吸収ゾーンの面積、形状、及び光源との接触面積は光源の大きさ、光源の配向角度、光源の光束によって任意に定めることになる。
【００１６】
なお第１及び第２の角部が湾曲壁部から構成されており、第３及び第４の角部が湾曲壁部によって構成されておらず、実質的に直角に曲がる壁部によって構成されている場合には、第２の直線状壁部の内壁面に設ける第２の光源列をできるだけ第２の直線状壁部の端部近傍まで延ばすことにより、第２の光源列の端部に含まれる光源からの光またはこの光が第３の直線状壁部及び第４の直線状壁部で反射されて放射された間接光により、第１及び第２の角部の近くにある表示部の部分を直接または間接に照らすことができる。その結果、第１及び第２の角部の近くにある表示部の部分の照度が大幅に低下することはない。
【００１７】
また対角線位置にある第２及び第４の角部（または第１及び第３の角部）が湾曲壁部によって構成されておらず、実質的に直角に曲がる壁部によって構成されている場合には、第２の直線状壁部の内壁面に設ける第２の光源列をできるだけ第４の角部の近傍まで延ばし、第１の直線状壁部の内壁面に設ける第１の光源列をできるだけ第２の角部の近傍まで延ばすことにより、第２の光源列の第３の角部の近傍の光源からの光またはこの光が第３の直線状壁部で反射されて放射された間接光により、第１の角部の近くにある表示部の部分を直接または間接に照らすことができ、第１の光源列の第２の角部の近傍の光源からの光またはこの光が第４の直線状壁部で反射されて放射された間接光により、第３の角部の近くにある表示部の部分を直接または間接に照らすことができる。その結果、第１及び第３の角部の近くにある表示部の部分の照度が大幅に低下することはない。
【００１８】
なお枠体の第１の角部及び第２の角部だけでなく、第３の角部及び第４の角部が、それぞれ湾曲壁部から構成されている場合にも、本発明は当然にして適用可能である。この場合には、第３の角部及び第４の角部を構成する湾曲壁部の内壁面を、第１の光源列側から到達する光を拡散反射する拡散反射面とすればよい。このようにすると前述と同様に、拡散反射面によって拡散反射された間接光は、少なくとも第３の角部及び第４の角部に近い位置にある表示部の部分を照らすことになり、この部分の照度を高くする。その結果、第１乃至第４の角部が全て湾曲壁部によって構成されている場合でも、間接光と光源近傍での光源からの光の吸収とを利用して、表示部の照度の均斉度を従来よりも高めることができる。
【００１９】
また第１の光源列及び第２の光源列は、複数の光源を有するアレイ状またはクラスター状のＬＥＤモジュールとして構成されていてもよい。この場合、ＬＥＤモジュールの両端部に隣接してそれぞれ光源を取り付けるのが好ましい。そして第１の直線状壁部の内壁面及び第２の直線状壁部の内壁面は、湾曲壁部の内壁面に接続する位置から、少なくともＬＥＤモジュールの両端部にそれぞれ取り付けられた１つの光源の取付位置の手前までまたは取付位置を越える位置まで拡散反射面によって構成されているのが好ましい。このように拡散反射面を延ばすと、ＬＥＤモジュールの両端の光源に対応する表示部の部分と角部に位置する表示部の部分との照度の差をより小さいものとすることが可能となる。上記光源としては、ＬＥＤモジュールが好ましいが、ＬＥＤパッケージを回路基板やリード線やレンズを用いて構成してもよい。
【００２０】
拡散反射面の光の反射率は、内壁面の反射率よりも高いことは勿論であるが、光の反射率が８０％以上の拡散反射シートまたは拡散反射塗料を布設することによって拡散反射面を構成するのが好ましい。湾曲壁部の内壁面の光の反射は、拡散反射面の他に光源列の最外位置にある光源の光束と配光角度、枠体の高さ寸法・厚み寸法などとの関わりで決まり、角部に位置する表示部の部分に影響を与えることになる。光の反射率が高いに越したことは無いが、実用上、拡散反射シート及び拡散塗料からなる拡散反射面の反射率は、共に８０％以上であれば、表示部の均斉度を７０％以上にすることが可能である。なお拡散反射面の反射率が８０％より小さい場合であっても、拡散反射面を設けない場合と比べれば、均斉度を高めるのに効果を発揮するのは勿論である。
【００２１】
拡散反射面の反射率が８０％以上ある場合、表示部は光の反射率が３０〜６０％で光の透過率が４０〜７０％の材料から形成されているものを用いるのが好ましい。このような表示部であれば、均斉度を高めることに十分な効果を発揮する。しかしながらこの表示部よりも反射率及び透過率が低いものでも、湾曲壁部の内壁面に拡散反射面を設けない場合と比べれば、照度の均斉度を上げることができる。
【００２２】
なお光源として、配光角度が１３０度以下であり、光束が５００ｌｍ以上であるものは、表示部の平均照度及び照度の均斉度を高めることに好適である。
【００２３】
本発明によれば、表示部の照度の均斉度が７０％以上になる内照型掲示装置が得られる。
【図面の簡単な説明】
【００２４】
【図１】本実施の形態の中空方式の内照型掲示装置を正面上方側から斜め下に見た図である。
【図２】本実施の形態の中空方式の内照型掲示装置から乳半板（乳白色半透明なアクリル板）からなる表示部を２枚取り除いた状態の枠体を正面上方側から斜め下に見た斜視図である。
【図３】枠体の約半分を正面斜め左側から見た斜視図である。
【図４】複数のＬＥＤモジュールを有するアレイ状のＬＥＤモジュールの斜視図である。
【図５】第１の角部の内部の拡大斜視図である。
【図６】（Ａ）は第１の光源列及び第２の光源列を設置した場合における中空方式の内照型掲示装置内の光の反射状況を概略的に示す図であり、（Ｂ）は比較のために、第１の光源列のみを設置した場合における中空方式の内照型掲示装置内の光の反射状況を概略的に示す図である。
【図７】（Ａ）は試験に用いた内照型掲示装置の表示部の照度測定箇所と、表示部の寸法を示す図であり、（Ｂ）は試験に用いた内照型掲示装置の表示部を撮影して写真で示す図である。
【図８】（Ａ）は実施例について図７（Ａ）に示した測定箇所の照度測定値を示す表であり、（Ｂ）は拡散反射面を構成する反射シートの貼り付け状態と、ゾーンを構成する黒色シートの有無を示す図であり、（Ｃ）は各条件において点灯している状態を撮影して写真で示す図である。
【図９】（Ａ）は実施例について図７（Ａ）に示した測定箇所の照度測定値を示す表であり、（Ｂ）は拡散反射面を構成する反射シートの貼り付け状態と、ゾーンを構成する黒色シートの有無を示す図であり、（Ｃ）は各条件において点灯している状態を撮影して写真で示す図である。
【図１０】（Ａ）は比較例について図７（Ａ）に示した測定箇所の照度測定値を示す表であり、（Ｂ）は拡散反射面を構成する反射シートの貼り付け状態と、ゾーンを構成する黒色シートの有無を示す図であり、（Ｃ）は各条件において点灯している状態を撮影して写真で示す図である。
【図１１】（Ａ）は比較例について図７（Ａ）に示した測定箇所の照度測定値を示す表であり、（Ｂ）は拡散反射面を構成する反射シートの貼り付け状態と、ゾーンを構成する黒色シートの有無を示す図であり、（Ｃ）は各条件において点灯している状態を撮影して写真で示す図である。
【図１２】（Ａ）は比較例について図７（Ａ）に示した測定箇所の照度測定値を示す表であり、（Ｂ）は拡散反射面を構成する反射シートの貼り付け状態と、ゾーンを構成する黒色シートの有無を示す図であり、（Ｃ）は各条件において点灯している状態を撮影して写真で示す図である。
【図１３】（Ａ）は比較例について図７（Ａ）に示した測定箇所の照度測定値を示す表であり、（Ｂ）は拡散反射面を構成する反射シートの貼り付け状態と、ゾーンを構成する黒色シートの有無を示す図であり、（Ｃ）は各条件において点灯している状態を撮影して写真で示す図である。
【図１４】（Ａ）は比較例について図７（Ａ）に示した測定箇所の照度測定値を示す表であり、（Ｂ）は拡散反射面を構成する反射シートの貼り付け状態と、ゾーンを構成する黒色シートの有無を示す図であり、（Ｃ）は各条件において点灯している状態を撮影して写真で示す図である。
【図１５】（Ａ）乃至（Ｄ）は、変形例を示す図である。
【発明を実施するための形態】
【００２５】
以下図面を参照して本発明の中空方式の内照型掲示装置の実施の形態を詳細に説明する。図１は、本実施の形態の中空方式の内照型掲示装置１を正面上方側から斜め下に見た図であり、図２は本実施の形態の中空方式の内照型掲示装置１から乳半板からなる表示部２を両面２枚取り除いた状態の枠体３を正面上方側から斜め下に見た斜視図である。また図３は、枠体３の約半分を正面斜め左側から見た斜視図である。本実施の形態では、枠体３の厚み方向両側にそれぞれ開口する２つの開口部３Ａ及び３Ｂを塞ぐように２枚の光透過性を有する表示部２が装着されている。なお表示部２は、枠体３の片側にだけ設け、もう一面は反射面が設けられていてもよいのは勿論である。
【００２６】
本実施の形態における中空方式の内照型掲示装置１は、枠体３が、第１の角部４，第２の角部５，第３の角部６及び第４の角部７と、第１の角部４と第２の角部５との間に位置する第１の直線状壁部８と、第３の角部６と第４の角部７との間に位置する第２の直線状壁部９と、前記第１の角部４と第４の角部７との間に位置する第３の直線状壁部１０と、第２の角部５と第３の角部６との間に位置する第４の直線状壁部１１とを備えている。本実施の形態で用いる枠体３は、横断面形状がコの字状のアルミ合金・フレーム材を用いて、複数のフレーム構成部品を作り、それらフレーム構成部品を組み合わせて構成されている。なお枠体は、アルミ合金や鋼板などの金属製に限定されるものではなく、プラスチックまたは金属とプラスチックの組み合わせにより構成されていてもよい。
【００２７】
なお図１及び図２には、フレーム構成部品の継ぎ目は図示していない。本願明細書において、各壁部８乃至１１において内壁面とは、横断面で見たときに、コの字状の形状の中央に位置するフラット部分の内面を意味するものとする。
【００２８】
本実施の形態で用いる枠体３は、第１乃至第４の角部４乃至７が、それぞれ内壁面が枠体３の外側に向かって凸となるように湾曲する湾曲壁部から構成されている。具体的には、第１乃至第４の角部４乃至７の内壁面の曲率半径Ｒは、枠体３の第３及び第４の直線状壁部１０及び１１の長さの１５％以下であることが好ましい。発明者の実験によると、枠体３の第３及び第４の直線状壁部１０及び１１の長さと曲率半径Ｒとの比率を小さくすれば、曲率半径Ｒが１５０ｍｍでも本発明の効果が得られることが確認されている。
【００２９】
本実施の形態の内照型掲示装置１では、図２に示すように、６個のＬＥＤモジュールＬＭがアレイ状に並んで構成されて、第２の直線状壁部９に向かって光を放射するように第１の直線状壁部８の内壁面に取り付けられた第１の光源列１２と、６個のＬＥＤモジュールＬＭがアレイ状に並んで構成されて、第１の直線状壁部８に向かって光を放射するように第２の直線状壁部９の内壁面に取り付けられた第２の光源列１３（図３）とを備えている。第１の光源列１２及び第２の光源列１３は、それぞれ図４に示すように、複数のＬＥＤモジュールＬＭを有するアレイ状のＬＥＤモジュール１４が、２台直線状に並べられて構成されている。本実施の形態で用いるアレイ状のＬＥＤモジュール１４に使われるＬＥＤモジュールＬＭは、市販のＬＥＤパッケージを使用したＬＥＤモジュールであり、１以上のＬＥＤパッケージとレンズとが組み合わされて構成されている。図２乃至図５に示される円形の部品がレンズである。このレンズの配光角度は、表示部２の表示面の大きさと、枠体３の厚さと、アレイ状のＬＥＤモジュール１４から出る光束とを考慮して設計される。本実施の形態では、配光角度が１３０度以下、光束が５００ｌｍ以上であるＬＥＤモジュールＬＭを用いている。
【００３０】
そして１台のアレイ状のＬＥＤモジュール１４は、絶縁樹脂製の取付台１５の上面部に３個のＬＥＤモジュールＬＭを備えている。またアレイ状のＬＥＤモジュール１４は、光源列に接し光源列の表示部２側の両方（取付台１５の長手方向と直交する幅方向の両側）に、各ＬＥＤモジュールＬＭの表面と同一または僅かに高い位置に表面部を有して、ＬＥＤモジュールＬＭから放射される光の一部を吸収するゾーン１６を設置している。本実施の形態では、このゾーン１６として黒色のテープまたはシートを用いている。この光を吸収するゾーン１６は、第１乃至第４の角部４乃至７に位置する表示部２の部分領域において、光源側の照度が非光源側の照度に比べて高くなることを防止し、また表示部２の表示面の他の部分、特に光源列近くに発生する輝線、暗線及びＬＥＤモジュールＬＭの光源影の発生を防止して、表示面全体の均斉度を向上させるために、ＬＥＤモジュールＬＭのレンズ横面から出る光を除去している。
【００３１】
上記実施の形態では、２つのアレイ状のＬＥＤモジュール１４によって、一つの光源列を構成しているが、１つのアレイ状のＬＥＤモジュールで１つの光源列を構成してもよいのは勿論である。また上記実施の形態では、アレイ状のＬＥＤモジュール１４は取付台１５を備えて構成されているが、取付台を用いないクラスター状のＬＥＤモジュールを一列に並べて構成することもできるし、複数のＬＥＤパッケージを回路基板やリード線を用いて接続することにより構成しても良いのは勿論である。
【００３２】
図２に示すように、本実施の形態では、２つのアレイ状のＬＥＤモジュール１４の上に設けられた４つのゾーン１６が、第１の光源列１２と２つの開口部３Ａ及び３Ｂとの間に位置し、第１の光源列１２を構成する６個のＬＥＤモジュールＬＭ（光源）と一部が接触するように第１の光源列１２に沿って延びて、光を吸収する第１の光吸収ゾーンを構成している。また図３に一部が示されるように、本実施の形態では、２つのアレイ状のＬＥＤモジュール１４の上に設けられた４つのゾーン１６が、第２の光源列１３と２つの開口部３Ａ及び３Ｂとの間に位置し、第２の光源列１３を構成する６個のＬＥＤモジュールＬＭと一部が接触するように第２の光源列１３に沿って延びて、光を吸収する第２の光吸収ゾーンを構成している。
【００３３】
本実施の形態では、第３の直線状壁部１０の内壁面及び第４の直線状壁部１１の内壁面が、拡散反射面１８によって構成されている。また第１の角部４及び第２の角部５を構成する湾曲壁部の内壁面が、第２の光源列１３側から到達する光を拡散反射する拡散反射面１７から構成されている。また第３の角部６及び第４の角部７を構成する湾曲壁部の内壁面も、第１の光源列１２側から到達する光を拡散反射する拡散反射面１７（図３）から構成されている。これは、第１の角部４及び第２の角部５（第３の角部６及び第４の角部７）を構成する湾曲壁部には、複数の光源が直線状に並んで構成された光源列１２（１３）を配置することができず、第１の直線状壁部８（第２の直線状壁部９）の内壁面に取り付けられた光源列１２（１３）から放射される光で、湾曲壁部の内壁面を直接照らすことは殆どできない。その結果、第１の角部４及び第２の角部５（第３の角部６及び第４の角部７）の近傍の表示部２の照度は、表示部２の他の部分の照度よりも低くなって、表示部２の照度の均斉度を低下させる原因となっている。そこで本実施の形態のように、第１の角部４及び第２の角部５（第３の角部６及び第４の角部７）を構成する湾曲壁部の内壁面を第２の光源列１３側（第１の光源列１２側）から到達する光を拡散反射する拡散反射面１７にするとともに、第３の直線状壁部１０の内壁面及び第４の直線状壁部１１の内壁面を拡散反射面１８によって構成すると、この拡散反射面１７及び１８によって拡散反射された間接光は、少なくとも第１の角部４及び第２の角部５（第３の角部６及び第４の角部７）に近い位置にある表示部２の部分を照らすことになり、この部分の照度を高くする。その結果、本実施の形態によれば、第１乃至第４の角部４乃至７を構成する湾曲壁部を有する枠体３を備えた中空方式の内照型掲示装置において、間接光を利用して、表示部２の照度の均斉度を従来よりも高めることができる。
【００３４】
本実施の形態では、図５に第１の角部４の内部の拡大斜視図を代表的に示すように、第１の直線状壁部８の内壁面は、角部４を構成する湾曲壁部の内壁面に接続する位置から、少なくともアレイ状のＬＥＤモジュール１４の角部側の端部に取り付けられた１つのＬＥＤモジュールＬＭの取付位置を越える位置まで拡散反射面１７によって構成されている。第２乃至第４の角部５乃至７の近傍における第１の直線状壁部８及び第２の直線状壁部９においても、前述と同様に拡散反射面１７がアレイ状のＬＥＤモジュール１４の角部側の端部に取り付けられた１つのＬＥＤモジュールＬＭの取付位置を越える位置まで延びている。このように拡散反射面１７を延ばすと、アレイ状のＬＥＤモジュール１４の端部の光源を構成するＬＥＤモジュールＬＭに対応する表示部２の部分と角部に位置する表示部２の部分との照度の差をより小さいものとすることが可能となる。その結果、本実施の形態によれば、表示部２の照度の均斉度を更に高めることができる。
【００３５】
拡散反射面１７の光の反射率は、枠体の内壁面の反射率よりも高いことは勿論であるが、光の反射率が８０％以上、より好ましくは９０％以上の拡散反射シートまたは拡散反射塗料を布設することによって構成することにより拡散反射面１７を構成するのが好ましい。角部を構成する湾曲壁部の内壁面の光の反射は、第１及び第２の光源列１２及び１３の最外位置にあるＬＥＤモジュールの光束と配光角度、枠体３の高さ寸法（第３及び第４の直線状壁部１０及び１１の長さ寸法）、枠体３の厚み寸法、角部４乃至７の半径などとの関わりで決まり、角部に位置する表示部の部分に影響を与えることになる。実用上、拡散反射シートまたは拡散塗料からなる拡散反射面１７の反射率は、共に８０％以上であれば、表示部２の均斉度を７０％以上にすることが可能である。なお拡散反射面１７の反射率が８０％より小さい場合であっても、拡散反射面１７を設けない場合と比べれば、均斉度を高めるのに効果を発揮するのは勿論である。
【００３６】
拡散反射面１７の反射率が８０％以上ある場合、表示部２は光の反射率が３０〜６０％で光の透過率が４０〜７０％の材料から形成されているものを用いるのが好ましい。具体的には、表示部２として白濁した半透明のアクリル板、ポリカーボネート板などのプラスチック板や磨りガラス等を用いることができる。このような表示部２であれば、均斉度を高めることに十分な効果を発揮する。しかしながらこの表示部２よりも反射率及び透過率が外れているものでも、角部を構成する湾曲壁部の内壁面に拡散反射面１７を設けない場合と比べれば、照度の均斉度及び平均照度を上げることができるのは勿論である。
【００３７】
図６（Ａ）は、第１の光源列１２及び第２の光源列１３を設置した場合における中空方式の内照型掲示装置１内の光の反射状況を概略的に示す図である。図６（Ｂ）は、比較のために、第１の光源列１２のみを設置した場合における中空方式の内照型掲示装置１内の光の反射状況を概略的に示す図である。勿論、角部を構成する湾曲壁部の内壁面には上記のように拡散反射面１７を設けてある。また第３の直線状壁部１０の内壁面及び第４の直線状壁部１１の内壁面にも、拡散反射面１８を設けてある。これらの図を比較すると明らかなように、第１の光源列１２だけを用いた場合よりも、第１の光源列１２及び第２の光源列１３を用いると、各角部の周辺領域ｒには、拡散反射光が多く散乱しているのが判る。
【００３８】
［実施例］
以下本発明の効果を確認するために行った実施例及び比較例による試験結果を説明する。図７（Ａ）は、試験に用いた内照型掲示装置の表示部の照度測定箇所と、表示部の寸法を示している。図７（Ｂ）は、試験に使用した内照型掲示装置を点灯させずに、試験に用いた内照型掲示装置の表示部に外部から照明をあてて撮影した写真を示す図である。試験に使用した内照型掲示装置の各角部の曲率半径は５０ｍｍであった。また第１及び第２の光源列１２及び１３は、桜井株式会社がＢＦＬ３５７ＤＷ１２の製品番号で販売する、光束が５００ｌｍのＬＥＤモジュールをアレイ状に６個等間隔で並べて構成したものである。表示部は乳半板であり、光の反射率が４０％で光の透過率が６０％のものを用いた。また２枚の表示部２間の距離は、８ｃｍとした。拡散反射面１７は光の反射率が８０％の反射シートを湾曲壁部の内壁面に貼って実現した。同様に第３の直線状壁部１０、第４の直線状壁部１１の内壁面には光の反射率が８０％の反射シートを貼付した。さらに光を吸収するゾーン１６としては、ゴム製の黒色シートを用いた。
【００３９】
図８（Ａ）乃至（Ｃ）〜図１４（Ａ）乃至（Ｃ）は、それぞれ試験結果を示している。図８（Ａ）乃至図１４（Ａ）は、図７（Ａ）に示した測定箇所の照度測定値（単位はｌｘ）を示す表であり、表の下の数値は、表中の測定列における均斉度を示している。照度は、コニカミノルタ株式会社の製品番号ＣＬ−２００Ａの色彩照度計を用いて測定した。また均斉度とは、最大値と最小値とを用いて、最小値が最大値の何％であるかを示す指標である。したがって表示部全体における均斉度は、測定結果全体から、最大値（MAX）と最小値（MIN）を得て、その最小値が最大値の何％であるかを演算により求める。また、表示部全体の平均照度は、測定結果全部の和を測定数（２０）で割った平均値である。図８（Ｂ）乃至図１４（Ｂ）は、拡散反射面（１７，１８）を構成する反射シートの貼り付け状態と、ゾーン１６を構成する黒色シートの有無を図示するものである。そして図８（Ｃ）乃至図１４（Ｃ）の写真は、各条件において点灯している状態を撮影したものである。
【００４０】
図８は、実施例であり、４つの角部（Ｒ部）に反射シート（拡散反射面１７）を設け、この反射シート（拡散反射面１７）を角部側の端部に取り付けられたＬＥＤモジュールの取付位置の手前まで設け、第３の直線状壁部１０と第４の直線状壁部１１に反射シート（拡散反射面１８）を設け、さらに光を吸収する黒色シート（ゾーン１６）を設けた場合である。図９は本発明の実施例であり、４つの角部に反射シート（拡散反射面１７）を設け、この反射シート（拡散反射面１７）を角部側の端部に取り付けられたＬＥＤモジュールの取付位置を越える位置まで延長し、第３の直線状壁部１０と第４の直線状壁部１１に反射シート（拡散反射面１８）を設け、さらに光を吸収する黒色シート（ゾーン１６）を設けた場合である。図１０は比較例であり、反射シート（拡散反射面１７及び１８）並びに黒色シート（ゾーン１６）を設けない場合である。図１１は比較例であり、反射シート（拡散反射面１７及び１８）は設けずに、黒色シート（ゾーン１６）だけを設けた場合である。図１２は比較例であり、４つの角部に反射シート（拡散反射面１７）を設け、この反射シート（拡散反射面１７）を角部側の端部に取り付けられたＬＥＤモジュールの取付位置を越える位置まで延長し、第３の直線状壁部１０と第４の直線状壁部１１に反射シート（拡散反射面１８）を設け、光を吸収する黒色シート（ゾーン１６）を設けない場合である。図１３は比較例であり、４つの角部に反射シート（拡散反射面１７）を設け、この反射シート（拡散反射面１７）を角部側の端部に取り付けられたＬＥＤモジュールの取付位置を越える位置まで延長し、第３の直線状壁部１０と第４の直線状壁部１１に反射シート（拡散反射面１８）を設けずに、さらに光を吸収する黒色シート（ゾーン１６）を設けた場合である。図１４は比較例であり、４つの角部に拡散反射面１７を設け、第３の直線状壁部１０と第４の直線状壁部１１に反射シート（拡散反射面１８）を設けずに、さらに光を吸収する黒色シート（ゾーン１６）を設けた場合である。
【００４１】
これら実施例と比較例の場合の、表示部の全体における均斉度及び平均照度は、以下のように求められる。
【表１】
2016057401.tif 000003
【００４２】
試験結果から、第３の直線状壁部１０と第４の直線状壁部１１に反射シート（拡散反射面１８）を設けない場合（図１０，図１１，図１３，図１４の場合）には、均斉度が７０％に達しないことが判る。光を吸収する黒色シート（ゾーン１６）を設けると（図１１，図１３，図１４の場合）、設けない場合（図１０，図１２の場合）よりも最大値が１０００ｌｘ近くも低下することにより均斉度が高くなるが分かる。そして反射シート（拡散反射面１７）を角部側の端部に取り付けられたＬＥＤモジュールの取付位置までとする（図８，図１４の場合）より、取付位置を越える位置まで延長する（図９，図１３の場合）方が均斉度、平均照度がより向上する。以上より、本発明の実施例（図８及び図９）のように、反射シート（拡散反射面１７）を角部側の端部に取り付けられたＬＥＤモジュールの取付位置まで（または取付位置を越える位置まで延長し）、第３の直線状壁部１０と第４の直線状壁部１１に反射シート（拡散反射面１８）を設け、さらに光を吸収する黒色シート（ゾーン１６）を設けると、均斉度が高い結果が得られ平均照度も向上することがわかる。
【００４３】
［変形例］
上記実施の形態では、４つの角部が全て湾曲壁部によって構成されているが、図１５（Ａ）に示すように、１箇所の角部のみが湾曲壁部によって構成されている場合、図１５（Ｂ）及び（Ｃ）に示すように２箇所の角部が湾曲壁部によって構成される場合、図１５（Ｄ）のように３箇所の角部が湾曲壁部によって構成される場合のいずれにおいても、本発明を適用できることが確認されている。
【産業上の利用可能性】
【００４４】
本発明によれば、少なくとも第１の角部を構成する湾曲壁部を有する枠体を備えた中空方式の内照型掲示装置において、間接光と光の吸収とを利用して、表示部の照度の均斉度を従来よりも高めることができる。
【符号の説明】
【００４５】
１  内照型掲示装置
２  表示部
３  枠体
４  第１の角部
５  第２の角部
６  第３の角部
７  第４の角部
８  第１の直線状壁部
９  第２の直線状壁部
１０  第３直線状壁部
１１  第４直線状壁部
１２  第１の光源列
１３  第２の光源列
１４  ＬＥＤモジュール
１５  取付台
１６  ゾーン
１７  拡散反射面
１８  拡散反射面
２０  反射板
【図１５】
2016057401.tif 000004
【図１】
2016057401.tif 000005
【図２】
2016057401.tif 000006
【図３】
2016057401.tif 000007
【図４】
2016057401.tif 000008
【図５】
2016057401.tif 000009
【図６】
2016057401.tif 000010
【図７】
2016057401.tif 000011
【図８】
2016057401.tif 000012
【図９】
2016057401.tif 000013
【図１０】
2016057401.tif 000014
【図１１】
2016057401.tif 000015
【図１２】
2016057401.tif 000016
【図１３】
2016057401.tif 000017
【図１４】
2016057401.tif 000018